(57)【要約】【課題】この発明は、現場においても、刃を取り付けたい位置に正確、且つ、スムーズに取り付けてバックアップ材を切断することができるカッター治具の提供を目的とする。【解決手段】バックアップ材Ｂの端部Ｂ１を押し当ててガイドするガイド面１２ａの幅方向の両側から互いに対向して突出した一対の突出部１３，１３を、上記ガイド面１２ａを有して構成したガイド部１２に備え、上記一対の突出部１３，１３同士の間に刃１８を取り付ける刃取付手段１４を、上記突出部１３における上記ガイド面１２ａから所定間隔隔てた部位に、切断方向Ｘに沿って上記刃１８を差し込み可能に形成したスリット１５と、上記突出部１３に備え、該スリット１５に差し込んだ刃１８を挟着する挟着手段１６，１５ａとで構成したカッター治具１１。【選択図】図１
2009297137.tif 000002
【特許請求の範囲】
【請求項１】
バックアップ材の端部を押し当ててガイドするガイド面を有するガイド部を備え、上記ガイド面から所定間隔を隔てて取り付けた刃で、上記ガイド面に押し当てた上記バックアップ材を上記所定間隔で切断するカッター治具であって、
上記ガイド面の幅方向の両側から互いに対向して突出した一対の突出部を、上記ガイド部に備え、
上記一対の突出部同士の間に上記刃を取り付ける刃取付手段を、
上記突出部における上記ガイド面から所定間隔隔てた部位に、上記バックアップ材を切断する切断方向に沿って上記刃を差し込み可能に形成したスリットと、上記突出部に備え、該スリットに差し込んだ上記刃を挟着する挟着手段とで構成した
カッター治具。
【請求項２】
上記スリットを、上記各突出部の上記ガイド面から所定間隔ごとに複数形成した
請求項１に記載のカッター治具。
【請求項３】
上記刃取付部を、上記各突出部の上記切断方向における両端部に形成し、
複数の上記スリット同士の間隔を、上記各突出部の上記切断方向における一方の端部側と、他方の端部側とで異なる所定間隔で形成した
請求項２に記載のカッター治具。
【請求項４】
上記挟着手段を、
上記スリットに差し込んだ上記刃を上記スリットの端部側へ押し付けて該スリット端部とともに挟着する締結手段で構成した
請求項１から３のいずれかに記載のカッター治具。
【請求項５】
上記締結手段の差し込みを許容する締結手段差込孔を、上記各突出部において、上記切断方向に対して交差方向に貫通するよう形成し、
上記締結手段を少なくとも２つ備え、
一方の上記締結手段を、上記締結手段差込孔の長さ方向の一方の側に備えるとともに、他方の上記締結手段を、上記締結手段差込孔の長さ方向の他方の側に備えた
請求項４に記載のカッター治具。
【請求項６】
上記スリットを上記各突出部の厚み方向に対して傾けて形成するとともに、
該傾けて形成した傾斜スリットを、該傾斜スリットの形成方向において互いに対向するよう上記一対の突出部のそれぞれに形成した
請求項１から５のいずれかに記載のカッター治具。
【発明の詳細な説明】
【技術分野】
【０００１】
この発明は、例えば、複数配列した壁面パネル間に形成される隙間に充填されるシーリング材の奥に、予め挿着しておくバックアップ材を隙間の大きさに応じて切断するためのカッター治具に関する。
【背景技術】
【０００２】
従来より、複数の壁面パネルを配列して形成される壁面の壁面パネル間に目地を構成する際には、図１１に示すように、バックアップ材Ｂが用いられる。
【０００３】
バックアップ材Ｂは、スチロールスポンジなどで形成され、配列した壁面パネルＰの隙間に、シーリング剤などの充填剤Ｔを充填する前に、充填剤Ｔの性能を補完したり、充填する深さを調節するなどの目的で、この隙間の奥に予め挿着される部材である。
【０００４】
バックアップ材を壁面パネルの隙間に挿着する際には、現場で、隙間に応じた幅に短冊状に切断する必要がある。中には、工場で所定の幅にカットしたものを購入して用いることも多いが、現場で壁面パネルを配列した後に形成される壁面パネル同士の隙間は、当初見積もった値に対して少なからず変動が生じることも多い。このため、後者の場合、壁面パネルの隙間に挿着できる幅にバックアップ材を現場でカットする必要がある。
【０００５】
しかしながら、通常のカッターやハサミでは、所定の幅で真直ぐにカットすることが困難であった。
【０００６】
このような背景に対して、例えば、下記特許文献１において「カッター器」が開示されている。  
上記「カッター器」は、上下方向において互いに対向配置した上部板と下部板とを備え、上部板の前端には、目盛り部、及び、前端に沿った案内溝が形成されている。案内溝には、カッター刃を保持する摘みを有したカッター刃保持部と上記案内溝をスライドして截断幅を調整する摘みを有した截断幅調整部とを備えている。下部板には、カッター刃の先端を支持するガイド溝が形成されている。
【０００７】
上記「カッター器」使用の際には、案内溝をスライドさせて截断幅を調整し、截断幅調整部を締めてカッター刃をスライド方向に固定する。さらに、カッター刃を下部板のガイド溝に係合させた状態で、カッター刃保持部を締め付けることによりカッター刃を固定する。
【０００８】
上記「カッター器」を用いてバックアップ材を所定の幅を截断するには、上部板と下部板のとの間にバックアップ材を配し、スライドさせることで行なう。
【０００９】
しかし、上記「カッター器」は、以下の難点を有する。  
カッター刃の下側部分の固定は、該先端部分を下部板のガイド溝に係合させることにより行なうが、ガイド溝との接触抵抗により固定しているだけであるため、使用時にカッター刃の下側部分が幅方向（スライド方向）において位置ズレしたりガタついてしまい真直ぐにバックアップ材を切断できないおそれがあるという難点を有する。また、カッター刃の下側部分を固定しようとすれば、その分、下側部分をガイド溝に強く押し当てる必要があるため、カッター刃を傷めてまうといった難点を有する。
【００１０】
さらに、「カッター器」は、幅調節の度に、カッター刃保持部と截断幅調整部との２つを締めたり緩めたりする必要があり、さらに、細かい目盛りを見ながらカッター刃を幅方向にスライドさせながら幅調整を行なう必要もあるため、面倒であるとともに、現場において調節する際に誤差が生じてしまうといったおそれもある。
【特許文献１】登録実用新案第３００１５６７号公報
【発明の開示】
【発明が解決しようとする課題】
【００１１】
そこで、この発明は、現場においても、刃を取り付けたい位置に正確、且つ、スムーズに取り付けてバックアップ材を切断することができるカッター治具を提供することを目的とする。
【課題を解決するための手段】
【００１２】
本発明は、バックアップ材の端部を押し当ててガイドするガイド面を有するガイド部を備え、上記ガイド面から所定間隔を隔てて取り付けた刃で、上記ガイド面に押し当てた上記バックアップ材を上記所定間隔で切断するカッター治具であって、上記ガイド面の幅方向の両側から互いに対向して突出した一対の突出部を、上記ガイド部に備え、上記一対の突出部同士の間に上記刃を取り付ける刃取付手段を、上記突出部における上記ガイド面から所定間隔隔てた部位に、上記バックアップ材を切断する切断方向に沿って上記刃を差し込み可能に形成したスリットと、上記突出部に備え、該スリットに差し込んだ上記刃を挟着する挟着手段とで構成したカッター治具であることを特徴とする。
【００１３】
上記構成により、刃の長さ方向両端部分をスリットに差し込んだ状態で上記挟着手段により固定することができるため、刃をしっかりと取り付けることができる。
【００１４】
このため、カッター治具は、バックアップ材を切断しながらスライドさせても刃が位置ズレすることやガタつくことがなく、真直ぐな切断面を得ることができる。
【００１５】
上記挟着手段は、例えば、刃をスリットの端面に押し当てて挟着するボルトや、スリットに刃とともに差し込んで刃をスリット端面とで挟着する介装部材を挙げることができるが、挟着により刃を固定できるものであれば特に限定しない。
【００１６】
この発明の態様として、上記スリットを、上記各突出部の上記ガイド面から所定間隔ごとに複数形成することができる。
【００１７】
上記構成により、刃を、複数形成したスリットのうち、いずれのスリットに差し込んで取り付けるかによって、バックアップ材の切断幅を段階的に調節することができる。
【００１８】
よって、本発明のカッター治具は、従来のカッター治具のように、現場において目盛りを視認しながら刃をスライドして微調整を行う手間を要さず、容易に取り付けることができる。
【００１９】
さらに、本発明のカッター治具は、従来のカッター治具のように、現場において刃をスライドして微調整を行うことなく、スリットに刃を差し込んで固定するだけで、刃を、スリット形成箇所に確実に取り付けることができる。このため、刃を取り付ける際の調整誤差によりバックアップ材の幅が不測に小さくなるなどといった事態が生じることがなく、パネルの隙間と同じ、或いは、それ以上の少なくとも隙間の幅を確保した上でバックアップ材を正確に切断することができる。  
よって、バックアップ材の伸縮性を利用してバックアップ材を隙間に挿着したとき、該隙間にぴたりと挿着させることができる。
【００２０】
またこの発明の態様として、上記刃取付部を、上記各突出部の上記切断方向における両端部に形成し、複数の上記スリット同士の間隔を、上記各突出部の上記切断方向における一方の端部側と、他方の端部側とで異なる所定間隔で形成することができる。
【００２１】
上記構成により、上記各突出部における切断方向の一方の端部側のスリット間隔を、例えば、５ｍｍで形成し、他方の端部側におけるスリット間隔を、例えば、７ｍｍで形成するといった上記各突出部における切断方向の各端部側に形成したスリットを互いに異なる間隔で形成することができる。このため、刃を取り付ける選択数が増加し、より細かな間隔設定が可能となり、所望の幅に切断したバックアップ材を得ることができる。
【００２２】
またこの発明の態様として、上記挟着手段を、上記スリットに差し込んだ上記刃を上記スリットの端部側へ押し付けて該スリット端部とともに挟着する締結手段で構成することができる。
【００２３】
上記構成により、一対の突出部のそれぞれにおいて締結手段を刃の側面を押し当てることで、締結手段の締結力を利用して締結手段とスリットの端面とで刃を挟着した状態で強固に固定することができる。
【００２４】
上記締結手段は、ボルト、螺子など、締結により刃を固定することができる手段であれば特に限定しない。
【００２５】
またこの発明の態様として、上記締結手段の差し込みを許容する締結手段差込孔を、上記各突出部において、上記切断方向に対して交差方向に貫通するよう形成し、上記締結手段を少なくとも２つ備え、一方の上記締結手段を、上記締結手段差込孔の長さ方向の一方の側に備えるとともに、他方の上記締結手段を、上記締結手段差込孔の長さ方向の他方の側に備えることができる。
【００２６】
上記構成により、複数形成したスリットのうち、刃を差し込んだスリットの位置に応じて２つの締結手段のうち、いずれの締結手段で刃を固定するかを選択することができるため、例えば、１本の長尺な締結手段で刃を固定する場合と比較して突出部に対して締結手段が外側へと突出しすぎることがなく刃を固定することができる。  
よって、バックアップ材を切断する際にも突出したボルトが邪魔にならず、見栄えも良好に保つことができる。
【００２７】
さらに、上述した構成のカッター治具には、２枚の刃を備えた場合、これら２枚の刃を２つの締結手段によりそれぞれ固定することができる。よって、バックアップ材を切断する一度のスライド操作により、バックアップ材を２枚の刃のそれぞれで切断することができ、所定の幅のバックアップ材を２本同時に作成することができるため、作業効率を大幅に向上させることができる。
【００２８】
またこの発明の態様として、上記スリットを上記各突出部の厚み方向に対して傾けて形成するとともに、該傾けて形成した傾斜スリットを、該傾斜スリットの形成方向において互いに対向するよう上記一対の突出部のそれぞれに形成することができる。
【００２９】
上記構成により、刃を、傾けた状態で取り付けることができ、このようなカッター治具でバックアップ材を切断すれば、バックアップ材を断面視すると傾斜した切断面で切断することができる。
【００３０】
よって、バックアップ材を断面視台形形状に形成することも可能となり、このような断面視台形形状のバックアップ材は、壁面パネルの隙間に挿着する際に幅小な部分から隙間に挿着することで容易に隙間に差し込むことができるとともに、差し込んだ後は、幅大な部分が隙間に一致するよう収縮し、壁面パネルにしっかりと挿着させることができる。
【発明の効果】
【００３１】
本発明により、現場においても、刃を取り付けたい位置に正確、且つ、スムーズに取り付けてバックアップ材を切断することができるカッター治具を提供することができる。
【発明を実施するための最良の形態】
【００３２】
この発明の一実施形態を以下図面と共に説明する。  
（第一実施形態）  
第一実施形態におけるカッター治具１１は、図１から図４に示すようにバックアップ材Ｂの端面を押し当ててガイドするガイド面１２ａを有するガイド部１２を備え、上記ガイド面１２ａの上下方向の両側から互いに対向して突出した一対の突出部１３，１３を上記ガイド部１２に備えている。
【００３３】
なお、図１は、カッター治具１１の外観図を示し、図２は、カッター治具１１の平面図、図３は、カッター治具１１の右側面図、図４は、図３のＢ−Ｂ断面図を示している。
【００３４】
ここで、以下の説明において、図１に示すように、バックアップ材Ｂを切断する方向をＸ方向、バックアップ材Ｂを切断する方向に対して水平面上で直交する方向をＹ方向、上下方向をＺ方向と設定するものとする。さらに、Ｘ方向前端が図１中、カッター治具１１の奥側を示し、Ｘ方向後端が図１中、カッター治具１１の手前側を示するものとする。
【００３５】
カッター治具１１は、上記ガイド部１２のＺ方向の両端部と、上記突出部１３のＹ方向の一方の端部とを溶接により一体とし、図４に示すようにコの字形を左右逆にした断面視逆コの字形で構成している。
【００３６】
上記ガイド部１２は、図３に示すように、正面視略長方形状をした板状に形成するとともに、４つの隅角部のうち、突出部１３，１３を備えていない側の隅角部を、面取りを施したＲ形状で形成している。上記ガイド面１２ａは、逆コの字形をした底面に相当する部分に平坦状構成している（図４参照）。
【００３７】
上記一対の突出部１３，１３は、いずれも上記ガイド部１２よりも板厚である長方体形状で形成し、それぞれを同一形状で形成している。
【００３８】
各突出部１３には、上記一対の突出部１３，１３の間に上記刃を取り付ける刃取付部１４（１４Ｒ，１４Ｆ）を、構成している。
【００３９】
刃取付部１４は、上下各側の突出部１３のＸ方向の一端側（後端側）に有する第一刃取付部１４Ｒと、上下各側の突出部１３のＸ方向の他端側（前端側）に有する第二刃取付部１４Ｆとで構成している。
【００４０】
刃取付部１４は、カッター刃１８を差し込み可能にＸ方向に形成した複数のスリット１５と、該スリット１５に差し込んだカッター刃１８を固定するためのボルト１６とで構成している。
【００４１】
さらに、突出部１３には、図４に示すように、ボルト１６の差込を許容するボルト差込孔１７を構成している。
【００４２】
詳しくは、上記スリット１５は、図２に示すように、第一刃取付部１４Ｒにおいては、上記ガイド面１２ａからＹ方向へ５ｍｍ間隔ごとに合計８つ形成し、第二刃取付部１４Ｆにおいては、上記ガイド面１２ａからＹ方向へ７ｍｍ間隔ごとに合計５つ形成している。
【００４３】
上記ボルト差込孔１７は、上記刃取付部１４のＹ方向における上記ガイド部１２と反対側端部からガイド部１２側へ形成した螺子孔であり、複数並設されたスリット１５と連通するようスリット１５に対して交差するよう形成している。
【００４４】
上記ボルト１６は、合計４本備え、その外周に形成した雄ネジ部１６ａとボルト差込孔１７の内周に形成した雌ネジ部１７ｂとが螺合した状態で１つのボルト差込孔１７につき１本づつ備えている。これらボルト１６は、突出部１３のＹ方向におけるガイド部１２と反対側からボルト差込孔１７に差し込まれている。さらに、ボルト１６は、各突出部１３のＹ方向長さと略同じ長さで形成するとともに、ボルト差込孔１７に差し込んだ該ボルト１６の先端部により、スリット１５に差し込んだカッター刃１８を側方から押圧可能に形成している。
【００４５】
上述した構成のカッター治具１１にカッター刃１８を取り付けるとともに、バックアップ材Ｂを、例えば、１５ｍｍの幅で切断する手順について図５、及び、図６を用いて説明する。  
なお、図５は、カッター治具１１を用いてバックアップ材Ｂを切断している様子を示す説明図である。図６（ａ），（ｂ）は、いずれもカッター治具１１を用いてバックアップ材Ｂを切断している様子を示す説明図であり、図６（ａ）は、図２のＡ−Ａ断面図、図６（ｂ）は、図３のＢ−Ｂ断面図により示している。
【００４６】
カッター刃１８を、上下各突出部１３の第一刃取付部１４Ｒにおいて、５ｍｍ間隔で形成した複数のスリット１５のうち、ガイド部１２側から３つ目に形成したスリット１５にカッター刃１８を差し込む（図４参照）。そして、第一刃取付部１４Ｒのボルト１６をボルト差込孔１７において螺進させ、該ボルト１６先端部を、スリット１５に差し込んだカッター刃１８に押し当てる。そうすると、スリット１５の端面とボルト１６先端部とでカッター刃１８を挟着して固定することができる。  
なお、ボルト１６は、スパナなどの工具を用いなくても手で回してもしっかりとカッター刃１８を固定することができる。
【００４７】
また、カッター治具１１に取り付けたカッター刃１８は、その刃先部分がＸ方向前方側を向くよう取り付けられている。
【００４８】
さらに、カッター刃１８は、Ｚ方向において互いに対向する突出部１３，１３間を横架する形態で取り付けることができるとともに、カッター刃１８の上端部が下端部に対してＸ方向前方側へ傾いた状態で取り付けることができる。
【００４９】
続いて、バックアップ材Ｂの端面Ｂａをガイド面１２ａに押し当ててガイドさせる。このとき、図６（ａ），（ｂ）に示すように、直方体で形成したスペーサ部材２２を、バックアップ材Ｂと下側の突出部１３との間に介在させ、スペーサ部材２２の端面２２ａもガイド面１２ａに押し当てる。
【００５０】
上記スペーサ部材２２は、該スペーサ部材２２の端面２２ａがガイド面から離間したり傾いたりしないよう固定することができる部材であり、該スペーサ部材２２には、カッター治具１１に取り付けるためのスペーサ固定ボルト２３を備えている。
【００５１】
スペーサ固定ボルト２３は、上下各側の突出部１３，１３の正面視略中央部分に穿孔したスペーサ固定ボルト差込孔２４，２４のいずれかの側に差し込んで用いられる。詳しくは、図６（ａ），（ｂ）に示すように、下側に有する突出部１３に形成したスペーサ固定ボルト差込孔２４に下側から差し込むことで、スペーサ部材２２と上側の突出部１３とでバックアップ材を固定保持しておくことができる。
【００５２】
カッター治具１１にカンナのように手を添えて、カッター治具１１をバックアップ材Ｂに対してＸ方向前方へスライドさせることにより、図５に示すように、バックアップ材Ｂを１５ｍｍの一定の幅を有した短冊状に切断することができる。  
このとき、第一刃取付部１４ＲにおいてＺ方向の下側の突出部１３が上側の突出部１３よりもＸ方向後方へ突出しているため、バックアップ材Ｂが切断されている様子を視認しながら切断することができる。
【００５３】
さらに、カッター刃１８が前傾した姿勢であるため、バックアップ材Ｂをスムーズに切断することができる。
【００５４】
上述したカッター治具１１は、以下のような作用、効果を奏することができる。  
カッター治具１１は、上下各側の突出部１３においてボルト１６の締結力を利用してスリット１５の端面１５ａにカッター刃１８を押し当てた状態でしっかりと取り付けることができる。このため、カッター治具１１は、バックアップ材Ｂを切断しながらスライドさせてもカッター刃１８がブレることやガタつくことがなく、真直ぐな切断面を得ることができる。
【００５５】
さらに、カッター刃１８の取り付けは、カッター刃１８をスリット１５へ差込み、ボルト１６を手で回して固定するだけでよいため、素人でも現場で容易に幅調整することができる。
【００５６】
さらにまた、第一刃取付部１４Ｒでは、スリット１５を５ｍｍ間隔で形成しているため、第一刃取付部１４Ｒにおいてガイド面１２ａから３つ目に形成したスリット１５にカッター刃１８を差し込んでボルト１６で固定するだけで、ガイド面１２ａから１５ｍｍの間隔の位置にカッター刃１８を確実に取り付けることができる。
【００５７】
このような段階的な切断幅の調節が可能であるため、従来のカッター治具１１のように、目盛りを視認しながらカッター刃１８をＹ方向へスライドさせながら微調整を行わなくとも、正確に、且つ、容易にカッター刃１８を取り付けることができる。
【００５８】
すなわち、従来のカッター治具１１の場合には、現場で上述した微調整を行う必要があるため、調節によっては、バックアップ材Ｂの幅が不測に小さくなったり大きくなったりする誤差が生じるおそれがある。
【００５９】
バックアップ材Ｂの幅が壁面パネルＰの隙間より小さくなるよう切断した場合には、隙間に挿着したとき、充填材を受け止めることができないばかりか、止水機能や断熱効果などバックアップ材Ｂとしての機能を果たさなくなる。
【００６０】
これに対して、上述したカッター治具１１は、ガイド面１２ａから所定間隔ごとに形成した所定のスリット１５にカッター刃１８を差し込んでボルト１６で固定するだけで調節、及び、取り付けができるため、幅調節の際に、挿着する隙間よりもバックアップ材Ｂの幅が不測に小さく切断してしまうという誤差が生じることなく、壁面パネルＰの隙間に挿着する際に必要となる幅と同じ、或いは、その幅よりも一回り広い幅に確実に調整して切断することができる。
【００６１】
例えば、スリット１５を、予め規格で定められたバックアップ材Ｂの幅に応じた間隔になるよう形成しておけば、現場においてもバックアップ材Ｂを規格と同じ幅になるよう正確、且つ、容易に切断することができる。
【００６２】
さらにまた、バックアップ材Ｂは、伸縮性を有しているため、この伸縮性を利用して壁面パネルＰの隙間よりも一回り大きな幅にバックアップ材Ｂを切断し挿着することが可能となる。このため、必ずしも壁面パネルＰの隙間と一致する幅に調節して切断しなくても一回り大きな幅になるよう見積もってカッター刃１８の取り付け位置を調節すれば、確実にその幅に切断することができ、しっかりと隙間に挿着することができる。
【００６３】
その他にもカッター治具１１は、様々な効果を奏することができる。  
例えば、カッター治具１１は、第一刃取付部１４Ｒに形成した複数のスリット１５のうち、いずれかのスリット１５にカッター刃１８を取り付けることにより、上述したように１５ｍｍの幅に限らず、５ｍｍ〜４０ｍｍの間のうち、５ｍｍ間隔の所望の幅でバックアップ材Ｂを切断することができる。
【００６４】
さらに、第二刃取付部１４Ｆでは、７ｍｍ間隔で５つのスリット１５を形成しているため、第二刃取付部１４Ｆに形成した複数のスリット１５のうち、いずれかのスリット１５にカッター刃１８を取り付けることにより、７ｍｍ〜３５ｍｍの間のうち、７ｍｍ間隔の所望の幅でバックアップ材Ｂを切断することができる。
【００６５】
このように、カッター治具１１は、５ｍｍ間隔で調節することのできる第一刃取付部１４Ｒと、７ｍｍ間隔で調節することのできる第二刃取付部１４Ｆとのいずれの側の刃取付部１４にカッター刃１８を取り付けても切断することができるため、いずれか一方の刃取付部１４Ｒ、又は、１４Ｆのみを構成した場合と比較してより細かな間隔設定が可能となり、所望の幅に切断したバックアップ材Ｂを得ることができる。
【００６６】
なお、第二刃取付部１４Ｆに形成したスリット１５に取り付けたカッター刃１８を用いてバックアップ材Ｂを切断する場合は、カッター治具１１を、上述した第一刃取付部１４Ｒに形成したスリット１５にカッター刃１８を取り付けた場合の姿勢に対してＸ方向、Ｚ方向において逆にして用いることで、第一刃取付部１４Ｒの場合と同様にカッター刃１８が前傾した姿勢でバックアップ材Ｂが切断されている様子を視認しながら切断することができる。
【００６７】
この場合、突出部１３の上面は、調整するための摘みなどが設けられていない平坦な面であるため、カッター治具１１を上下逆にしても、切断の際に突出部１３の上面に手を添え易く、安定して設置することができる。
【００６８】
さらにまた、ガイド面１２ａは、カッター治具１１のＸ方向の全体に亘って構成しているため（図３参照）、該ガイド面１２ａにより切断時にバックアップ材Ｂの端面Ｂａをしっかりとガイドすることができる。
【００６９】
殊に、Ｘ方向前端（Ｘ方向後端）においてもカッター刃１８とＹ方向において対向するようガイド面１２ａを備えているため（図３参照）、バックアップ材Ｂの切断が完了するまで確実にガイド面１２ａによりバックアップ材Ｂをガイドすることができる。  
よって、カッター治具１１は、バックアップ材Ｂを切断した端面Ｂａの端部側部分においても見栄えよく切断することができる。
【００７０】
また、バックアップ材Ｂの切断の際に用いた上述したスペーサ部材２２は、例えば、木材、樹脂、ゴムなどで形成することができるが、ガイド面１２ａに押し当てたバックアップ材Ｂを固定保持することができる部材であれば、その材質、形状は、特に限定しない。
【００７１】
さらに、スペーサ固定ボルト２３の頭部が突出部１３の下側から突出しないようスペーサ固定ボルト差込孔２４には、該頭部を収容しておく座ぐりを形成してもよい。
【００７２】
但し、カッター治具１１は、バックアップ材Ｂを切断する上で上述したスペーサ部材２２は、必須の構成ではなく、勿論、スペーサ部材２２を用いなくとも、バックアップ材Ｂを切断してもよいが、スペーサ部材２２を用いて切断することで、バックアップ材Ｂを見栄えよく、スムーズに切断することができる。
【００７３】
以下では、他の実施形態におけるカッター治具２１，３１について説明する。  
但し、以下で説明するカッター治具２１，３１の構成のうち、上述したカッター治具１１と同様の構成については、同一の符号を付して、その説明を省略する。
【００７４】
（第二実施形態）  
第二実施形態のカッター治具２１は、図７に示すように、１つのボルト差込孔２７に、上述したボルト１６Ｌ（図４参照）よりも短尺な２本のボルト１６Ｓ，１６Ｓを備えて構成している。  
なお、図７は、図４に対応させて示した第二実施形態のカッター治具２１の構成説明図である。
【００７５】
詳しくは、上記ボルト差込孔２７は、突出部１３をＹ方向に貫通して形成している。ボルト１６Ｓは、第一実施形態におけるボルト１６Ｌの半分程度の長さで形成し、２本のボルト１６Ｓ，１６Ｓの一方のボルト１６Ｓは、ボルト差込孔２７のＹ方向の一方の側へ差し込まれ、他方のボルト１６Ｓは、ボルト差込孔２７のＹ方向の他方の側へ差し込まれている。
【００７６】
上述した構成により、図７中実線で示したカッター刃１８のように、カッター刃１８を突出部１３のＹ方向中間部よりもガイド部１２側に形成したスリット１５に取り付けた場合には、ガイド部１２側からボルト差込孔２７へ差し込んだボルト１６Ｓによりカッター刃１８を固定することができる。一方、例えば、図７の仮想線で示したカッター刃１８のように、カッター刃１８を突出部１３のＹ方向中間部よりもガイド部１２と反対側に形成したスリット１５に取り付けた場合には、ガイド部１２の反対側からボルト差込孔２７へ差し込んだボルト１６Ｓにより固定することができる。
【００７７】
いずれの場合も、複数形成したスリット１５のうち、いずれかのスリット１５にカッター刃１８を差し込んで取り付けた場合においても、第一実施形態のように１本の長尺なボルト１６Ｌをボルト差込孔２７に差し込んでカッター刃１８を固定する場合と比較して突出部１３に対してボルト１６ＳがＹ方向外側へと突出しすぎることがなくカッター刃１８を固定することができる。  
よって、バックアップ材Ｂを切断する際にも突出したボルト１６Ｓが邪魔にならず、見栄えも良好に保つことができる。
【００７８】
さらに、上述した構成のカッター治具２１には、２枚のカッター刃１８を備えれば、突出部１３のＹ方向の両側に備えた２つのボルト１６Ｓのそれぞれにより２枚のカッター刃１８のそれぞれを取り付けることができる。
【００７９】
例えば、図８に示すように、ガイド面１２ａから１０ｍｍ、２０ｍｍの各部においてカッター刃１８を取り付けることができるため、バックアップ材Ｂを切断する一度のスライド操作により、１０ｍｍの幅のバックアップ材Ｂを２本同時に作成することができ、作業効率を大幅に向上させることができる。  
なお、図８は、第二実施形態のカッター治具２１の一使用例を説明する説明図である。
【００８０】
さらに、２枚のカッター刃１８は、それぞれ異なる切断幅になるよう適宜のスリット１５に取り付けてもよく、この場合、異なる幅のバックアップ材Ｂを同時に２本作成することができる。
【００８１】
また、カッター治具２１は、第一刃取付部１４Ｒに形成したスリット１５と第二刃取付部１４Ｆに形成したスリット１５との双方にカッター刃１８を取り付けてもよい。
【００８２】
さらにまた、ボルト１６は、第一実施形態で用いた長尺なボルト１６Ｌと第二実施形態で用いた短尺なボルト１６Ｓとの双方のボルト１６Ｌ，１６Ｓを備えておき、これらボルト１６Ｌ，１６Ｓを同時に、或いは、選択的に用いてもよい。
【００８３】
（第三実施形態）  
第三実施形態のカッター治具３１は、図９に示すように、複数のスリット１５を、Ｚ方向、すなわち、上記各突出部１３の厚み方向に対して傾けて形成している。該傾けて形成した傾斜スリット３５は、上記一対の突出部１３，１３のそれぞれにおける、該傾斜スリット３５の形成方向において互いに対向する部位に形成している。  
なお、図９は、第三実施形態のカッター治具３１の構成説明図である。
【００８４】
上記構成により、カッター刃１８を、傾斜した状態で取り付けることができ、このようなカッター治具３１は、上述したカッター治具１１，２１と同様に、ガイド面１２ａにバックアップ材Ｂの端面Ｂａを押し当てた状態で該バックアップ材Ｂの端面Ｂａに沿って真直ぐにスライドさせることでバックアップ材Ｂを切断することができる。切断された短冊状のバックアップ材Ｂは、断面視傾斜した切断面で切断される。
【００８５】
よって、バックアップ材Ｂは、幅方向の両端部を上述したような傾斜した切断面で切断することにより、短冊状に切断したとき図１０に示すように断面視台形形状で形成することができる。
【００８６】
なお、バックアップ材Ｂは、幅方向の一方の端部の場合と他方の端部の場合とで、カッター治具３１を上下逆にして切断することにより、幅方向の各側の切断面の傾斜方向が逆になり、断面視台形形状で形成することができる。
【００８７】
このような断面視台形形状のバックアップ材Ｂは、図１０に示すように、壁面パネルＰの隙間Ａに挿着する際に幅小な部分から隙間Ａに挿着することで容易に隙間に差し込むことができる。
【００８８】
さらに、差し込んだ後は、幅大な部分が隙間に一致するよう収縮し、壁面パネルＰにしっかりと挿着させることができる（図１０中、仮想線で示したバックアップ材Ｂ参照）。  
よって、壁面パネルＰに対する密着性が向上し、挿着後に充填する充填材をしっかりと受け止めることができるとともに、断熱性、水密性などを性能を向上させることができる。  
なお、図１０は、第三実施形態のカッター治具３１の作用説明図である。
【００８９】
また、上述した実施形態と、この発明の構成との対応において、この実施形態のバックアップ材Ｂの端面Ｂ１は、この発明のバックアップ材の端部に対応し、以下同様に、
カッター刃１８は、刃に対応し、
刃取付部１４は、刃取付手段に対応し、
ボルト１６（１６Ｌ，１６Ｓ）、及び、スリットの端面１５ａは、締結手段に対応するも、この発明は、上述の実施形態の構成のみに限定されるものではなく、多くの実施の形態を得ることができる。
【図面の簡単な説明】
【００９０】
【図１】第一実施形態のカッター治具の外観図。
【図２】第一実施形態のカッター治具の平面図。
【図３】第一実施形態のカッター治具の右側面図。
【図４】図３におけるＡ−Ａ断面図。
【図５】第一実施形態のカッター治具の作用説明図。
【図６】第一実施形態のカッター治具の作用説明図。
【図７】図４に対応させて示した第二実施形態のカッター治具の構成説明図。
【図８】図４に対応させて示した第二実施形態のカッター治具の作用説明図。
【図９】図４に対応させて示した第三実施形態のカッター治具の構成説明図。
【図１０】第三実施形態のカッター治具の作用説明図。
【図１１】壁面パネル間の目地付近の構成を断面で示した説明図。
【符号の説明】
【００９１】
１１，２１，３１…カッター治具
１２…ガイド部
１２ａ…ガイド面
１３…突出部
１４…刃取付部
１４Ｒ…第一刃取付部
１４Ｆ…第二刃取付部
１５，３５…スリット
１５ａ…スリットの端面
１６Ｌ，１６Ｓ…ボルト
１７，２７…ボルト差込孔
Ｂ…バックアップ材
【図１】
2009297137.tif 000003
【図２】
2009297137.tif 000004
【図３】
2009297137.tif 000005
【図４】
2009297137.tif 000006
【図５】
2009297137.tif 000007
【図６】
2009297137.tif 000008
【図７】
2009297137.tif 000009
【図８】
2009297137.tif 000010
【図９】
2009297137.tif 000011
【図１０】
2009297137.tif 000012
【図１１】
2009297137.tif 000013